(57)【要約】【課題】  各種部品や埃などの外的要因から電子機器内に設けられた電源部を保護し、電子機器の故障を軽減させた電源部用保護部材を備えた電子機器を提供する。【解決手段】  磁気記録再生装置１０とディスク記録再生装置１１とを備えた電子機器１の筐体１２内に取り付けられたメイン基板１６にトランス１７を実装する。電子機器１内にトランス１７を覆う保護部材３０を設ける。これにより、外的要因である埃や電子機器１内に設けられている各種部品や装置などがトランス１７に接触することを回避することができ電子機器の故障を回避することができる。【選択図】      図３
2006018897.tif 000002
【特許請求の範囲】
【請求項１】
磁気記録再生装置とディスク記録再生装置とを備えた電子機器において、該電子機器の筐体内に取り付けられた基板に電源部を実装させ、前記電子機器内に前記電源部の一次側を覆う保護部材を設けたことを特徴とする電源部用保護部材を備えた電子機器。
【請求項２】
前記電源部を前記基板に着脱自在に取り付け可能な係止爪又は取付孔の形成されたボス部を前記保護部材に一体に形成したことを特徴とする請求項１記載の電源部用保護部材を備えた電子機器。
【発明の詳細な説明】
【技術分野】
【０００１】
本発明は、ＤＶＤ、ＣＤ−Ｒ、ＣＤ−ＲＷ等の光ディスクのディスク記録再生装置とビデオカセットテープに用いられる磁気記録再生装置とを備えた複合機能を有する電子機器であり、詳しくは、電子機器内に設けられ高電圧の印加される電源部を保護部材により覆うことにより、外的要因から電源部を保護することができる電源部用保護部材を備えた電子機器に関する。
【背景技術】
【０００２】
近年、光ディスク等の大容量の記録媒体を記録再生可能な記録再生装置が普及化されてきており、これに従来から使用されている磁気記録再生装置を１つの電子機器にさらに備えることにより、異なる種類の記録媒体を記録再生可能な複合機能を有する電子機器が開発されてきている。
【０００３】
こうした電子機器の内部には、異なる種類の記録媒体を記録再生することから、電子機器内の筐体内に複数の装置を配置しなければならず、筐体内の限られたスペースに複数の装置を配置するとなると、必然的にその筐体内のレイアウトにスペース的な余裕がなくなってしまい、筐体内の各種装置や部品などが互いに近接してしまう。そして、このように各種装置などが近接して配置されると、各部品間の絶縁空間距離を確保する必要がある各々装置や部品の絶縁を確保するために、絶縁空間距離を確保する代わりに各々の装置間に絶縁性を有する仕切り板などの保護部材を配置することが必要となる。
【０００４】
また、特許文献１には、電子機器内のノイズなどの要因を回避するために、１次側回路と２次側回路と分離してプリント基板上に配置させ、１次側回路を遮蔽する遮蔽部材を設け、１次側回路から発生するノイズを低減させるものが開示されている。
【０００５】
【特許文献１】特開平８−１６２７９２号公報
【発明の開示】
【発明が解決しようとする課題】
【０００６】
上記特許文献１においては、遮蔽部材により基板上の回路遮蔽を行うことで、回路から発生するノイズの低減を図ることは可能ではあるものの、一般的に、基板上には複数のコンデンサ、抵抗などの電子部品、或いはこれらの電子部品から発生する熱を放熱するための放熱部材などが実装されており、遮蔽部材によりノイズの発生を軽減することはもとより、電子機器を購入した使用者にとっては、電子機器が長期に亘って故障することなく使用できるものが切望されている。
【０００７】
本発明は上記課題を鑑みてなされたものであり、高電圧の印加される電子機器内に設けられた電源部を保護部材により覆うことにより、接続コードなどの各種部品や埃などの外的要因から電源部を保護し、電子機器の故障を軽減させた電源部用保護部材を備えた電子機器を提供することを目的とする。
【課題を解決するための手段】
【０００８】
請求項１に係る電源部用保護部材を備えた電子機器は、磁気記録再生装置とディスク記録再生装置とを備えた電子機器において、該電子機器の筐体内に取り付けられた基板に電源部を実装させ、前記電子機器内に前記電源部の一次側を覆う保護部材を設けたことを特徴とする。
【０００９】
請求項１の構成によれば、保護部材が基板の電源部を覆っているから、外的要因である埃や電子機器内に設けられている各種部品や装置などが電源部に接触することを回避することができる。
【００１０】
請求項２に係る電源部用保護部材を備えた電子機器は、請求項１記載の電源部用保護部材を備えた電子機器において、前記電源部を前記基板に着脱自在に取り付け可能な係止爪又は取付孔の形成されたボス部を前記保護部材に一体に形成したことを特徴とする。
【００１１】
請求項２の構成によれば、係止爪又はボス部の取付孔が保護部材に一体に形成されているから、保護部材に係止爪が一体に形成されている際には、電子機器内の基板の所定の位置に係止爪を係止して保護部材を取り付けることができる。一方、保護部材にボス部が一体に形成されている際には、保護部材のボス部に取付孔が一体に形成されているから、取付孔に基板をネジ止めして取り付けることができる。従って、基板に保護部材を簡単に着脱することができる。
【発明の効果】
【００１２】
請求項１の電源部用保護部材を備えた電子機器の発明によれば、磁気記録再生装置とディスク記録再生装置とを備えた電子機器において、該電子機器の筐体内に取り付けられた基板に電源部を実装させ、前記電子機器内に前記電源部の一次側を覆う保護部材を設けたから、外的要因である埃や電子機器内に設けられている各種部品や装置などが電源部に接触することを回避することができるので、外的要因たる埃などの付着に伴う絶縁不良を回避できるので、電子機器の破損や出火の原因を絶つことができる安全性に優れた電源部用保護部材を備えた電子機器を提供することができる。
【００１３】
請求項２の電源部用保護部材を備えた電子機器の発明によれば、請求項１において、前記電源部を前記基板に着脱自在に取り付け可能な係止爪又は取付孔の形成されたボス部を前記保護部材に一体に形成したから、基板に保護部材を簡単に着脱することができるので取りつけ作業性に優れる。
【発明を実施するための最良の形態】
【００１４】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００１５】
図１は、本実施例における電源部用保護部材を備えた電子機器の取付カバーを取り外した状態を示す分解斜視図である。同図に示すように、電子機器１には、ビデオカセットテープの挿入される磁気記録再生装置（Ｖｉｄｅｏ  Ｃａｓｓｅｔｔｅ  Ｒｅｃｏｒｄｅｒ）１０とＤＶＤ（Ｄｉｇｉｔａｌ  Ｖｅｒｓａｔｉｌｅ  Ｄｉｓｃ）などの光ディスクを記録再生可能なディスク記録再生装置１１とを備え、種類の異なる記録媒体を記録再生可能な電子機器である。なお、本実施例の一例においては、この電子機器１の磁気記録再生装置１０とディスク記録再生装置１１とは、何れにおいても記録媒体の記録及び再生を行うことができるようになっているが、特にこれに限定されるものではなく、記録再生とはこれらの内の何れか一方のみの機能を有している意味でも用いるものである。
【００１６】
また、図１に示すように、電子機器１は、その外形を形成する筐体１２がほぼ箱型に形成されており、この筐体１２は、図１に示すように断面コ字型の取付カバー１３が構成されメインフレーム１４にネジ止め固定されるようになっている。また、筐体１２の前面側には、複数の操作ボタン１５が設けられており、これらの操作ボタン１５を操作することにより、電源のオン／オフや記録媒体の記録再生などの操作を行うことができる。
【００１７】
また、筐体１２のメインフレーム１４の内側には、平板状のメイン基板１６が水平となるようにネジ止めされ固定されており、メイン基板１６の上方には間隔を空けて前述した磁気記録再生装置（ＶＣＲ）１０とディスク記録再生装置１１とが取り付けられている。
【００１８】
図２は筐体１２の背面図、図３はメイン基板１６の電源部上に設けられているトランス１７や保護部材３０などの配置を示す説明図である。図３に示すように、メイン基板１６には、図示しない抵抗などの各種電子部品などの他に、少なくともトランス１７が実装されている。なお、このトランス１７は、電磁誘導を利用して交流電圧を昇降させるもので、図示しない１次側コイル１７Ａと２次側コイル１７Ｂからなる２つのコイルが近接して構成されており、このトランス１７に一体的に形成されている取付部１８がメイン基板１６に固定されているもので、図３に示すように、電子機器１の背面側に設けられている電源コード２０の近傍に配置されている。そして、保護部材３０が電源部たるトランス１７の１次側コイル１７Ａを少なくとも覆って設けられていることで、埃や周辺機器との干渉、異物との接触といった外的要因からトランス１７を保護することができる。特に、図２及び図３に示すように、トランス１７に近接して筐体１２の背面に外部機器と接続するジャック２０Ａを設ける場合、ジャック２０Ａの端子孔から筐体１２内に針金や金属片などの導電性部材が侵入した場合、保護部材３０の壁部４２によってこれらの導電性部材が１次側コイル１７Ａと接触することを防止することができ、トランス１７の短絡事故を確実に防止することが可能となる。なお、本実施例の一例においては、図４に示すように、保護部材３０がトランス１７の１次側コイル１７Ａを覆っているが、これに限定するわけでなく、図６に示す変形例のように、保護部材３０がトランス１７の全体を覆うようにすれば、より一層埃などの外的要因からトランス１７が保護される。
【００１９】
トランス１７を覆う保護部材３０はその材質が難燃性の樹脂からなり、この保護部材３０は、図４〜６に示すようにメイン基板１６に取り付けられているものであり、保護部材３０の下側には、円筒型のボス部３１が下方に向かって突設され、ボス部３１の中心にはその長手方向に沿って螺子３２をねじ込んでメイン基板１６に保護部材３０を取り付ける取付孔１９が形成されており、この取付孔１９とメイン基板１６の孔部２１とを重ね合わせ螺子３２より保護部材３０がメイン基板１６に取り付けられている。
また、保護部材３０には、図７及び図８に示すように、ボス部３１の取付孔１９の他に一対の係止爪３４，３４が一体に形成されており、これら係止爪３４，３４及び取付孔１９の夫々の近傍には位置決め凸部３５が形成されており、これら位置決め凸部３５の配置に対応して、メイン基板１６に図示しない位置決め凹部が形成されていることで、メイン基板１６の所定の位置に保護部材３０を容易に位置決めして取り付けできるようになっている。
【００２０】
また、保護部材３０の上部には、その上下方向に開口された円形型の開口部３６が形成されており、図４などに示すように、この保護部材３０の高さＨとほぼ同等若しくはそれ以上の高さＨ１の装置や部品などをメイン基板１６上に配置する際には、この開口３６から上方に突設するような装置や部品が、保護部材３０に接触することなく基板に固定されるようになっている。なお、本実施例においては、保護部材３０の高さＨとほぼ同等の高さＨ１寸法の部品として、縦方向に立設された円柱型のコンデンサ３７が配置され、この形状及び高さＨ１に対応させて保護部材３０に円形型の開口部３６が形成されているが、特にこの形状に限定するものではなく、各種装置や部品の形状に対応させて適宜開口部３６の形状を変更させて対応することができる。
【００２１】
また、前記保護部材３０には、図７に示すように、上方に突設した突設部３８が一体に形成されていて、この突設部３８が前述したディスク記録再生装置１１の下面に形成されている嵌合孔３９に嵌合された状態でディスク記録再生装置１１が保護部材３０の上部にネジ止め固定されている。これにより、保護部材３０は、トランス１７を外的要因から保護するのみではなく、ディスク記録再生装置１１が固定されるように兼用することができるので、製造コストを軽減した安価な電子機器１を提供することができる。また、前述した通り、保護部材３０の材質を難燃性の樹脂を使用し、トランス１７から発生される熱は、トランス１７上方に設けられた保護部材３０によりその熱を遮断するので、その上部に配置されたディスク記録再生装置１１にトランス１７の熱が伝達されることを防止できるので、ディスク記録再生装置１１を熱から保護することができる。また、保護部材３０には前述した電源コード２０を係止可能なフック部４１が形成されていて、電源コード２０をフック部に係止することができると共に、保護部材３０の背面側には、図４及び図５に示すように、外部からの異物が挿入されトランス１７への接触を防ぐ壁部４２が保護部材３０に一体的に形成されている。
【００２２】
以上のように上記構成によれば、電源部用保護部材を備えた電子機器１は、磁気記録再生装置１０とディスク記録再生装置１１とを備え、電子機器１の筐体１２内に取り付けられたメイン基板１６の電源部にトランス１７を実装させ、電子機器１内にトランス１７を覆う保護部材３０が設けられている。これにより保護部材３０がメイン基板１６のトランス１７を覆っていることで、外的要因である埃や電子機器１内に設けられている各種部品や装置などがトランス１７に接触することを回避することができる。従って、外的要因たる埃などの付着に伴う絶縁不良を回避でき、電子機器１の破損や出火の原因を絶つことができる安全性に優れた電子機器１を提供することができる。さらに、保護部材３０をメイン基板１６に着脱自在に取り付け可能な係止爪３４，３４又は取付孔１９の形成されたボス部３１を保護部材３０に一体に形成し、保護部材３０に係止爪３４，３４が一体に形成されている際には、電子機器１内のメイン基板１６の所定の位置に係止爪３４，３４を係止して保護部材３０を取り付けることができる。一方、保護部材３０にボス部３１が一体に形成されている際には、保護部材３０のボス部３１に取付孔１９が一体に形成されているから、この取付孔１９にメイン基板１６をネジ止めして取り付けることができるので、メイン基板１６に保護部材３０を簡単に着脱することができ、取りつけ作業を容易に行うことができるので作業性に優れる。しかも、保護部材３０が電子機器１の通電状態に高電圧の印加されるこのトランス１７を覆っているから、トランス１７の表面に埃などが付着して堆積することを軽減することができるので、トランス１７へ高電圧が印加されている状態において、外的要因たる埃などの付着に伴う絶縁不良を回避できるので、電子機器１の破損や出火の原因を絶つことができ、故障を軽減し且つ長期に亘って使用することができる耐久性に優れた電子機器１を提供することができる。
【００２３】
さらに、保護部材３０は、トランス１７の１次側である１次側コイル１７Ａを覆っており、このトランス１７は、電磁誘導を用いて交流電圧を昇降させるものであり、１次側たる１次側コイル１７Ａと２次側たる２次側コイル１７Ｂからなる２つのコイルが近接して設けられている。このようなトランス１７の１次側コイル１７Ａを少なくとも覆うことで、埃などの外的要因によりトランス１７の１次側コイル１７Ａと２次側コイル１７Ｂが短絡することを回避することができるので、火災などの不測の事態を回避することができる。また、保護部材３０でトランス１７の１次側コイル１７Ａのみを覆うことで保護部材３０の小型化が可能となる。
【図面の簡単な説明】
【００２４】
【図１】本実施例における電子機器の取付カバーを取り外した状態を示す分解斜視図である。
【図２】同上、電子機器の背面図である。
【図３】同上、基板上に設けられているトランスと保護部材などの配置を示す説明図である。
【図４】同上、電子機器の内部構成を示す側面断面図である。
【図５】同上、保護部材にディスク記録再生装置を取り付けた状態を示す側面断面図である。
【図６】同上、保護部材によりトランスの全体が覆われている変形例を示す側面断面図である。
【図７】同上、保護部材を上方から視た状態を示す斜視図である。
【図８】同上、保護部材を下方から視た状態を示す斜視図である。
【符号の説明】
【００２５】
１  電子機器
１０  磁気記録再生装置
１１  ディスク記録再生装置
１２  筐体
１６  メイン基板
１７  トランス
１７Ａ  １次側コイル（１次側）
１９  取付孔
３０  保護部材
３１  ボス部
３４  係止爪
【図１】
2006018897.tif 000003
【図２】
2006018897.tif 000004
【図３】
2006018897.tif 000005
【図４】
2006018897.tif 000006
【図５】
2006018897.tif 000007
【図６】
2006018897.tif 000008
【図７】
2006018897.tif 000009
【図８】
2006018897.tif 000010